(57)【要約】【課題】マスク本来の機能を損なうことなく、マスクに着脱自在に取り付けることができる再利用可能なマスク用装飾品を提供する。【解決手段】マスク用装飾品１は、第一板状部材１１の裏面に凸部１２が形成された樹脂製の凸係合部１０と、第二板状部材２１の略中央部に孔部が形成されるとともに孔部の周囲における第二板状部材２１の四か所に切込み部２３が形成された樹脂製の嵌入係合部２０と、第一板状部材１１の表面に取り付けられた樹脂製の装飾片３０とを備える。マスク本体部の表面に凸係合部１０の凸部１２を押し当てた状態で、マスク本体部の裏面側から嵌入係合部２０を押し当て、凸部１２をマスク本体部とともに孔部に嵌め込むことにより、凸係合部１０と嵌入係合部２０とをマスク本体部に取着する。【選択図】図１
0003228464.tif 000002
【実用新案登録請求の範囲】
【請求項１】
第一板状部材と、前記第一板状部材の一方の面に、先端部が根元部より大きくなるように形成された凸部とを有する樹脂製の凸係合部と、
第二板状部材と、前記第二板状部材の略中央部に形成された、前記凸部を嵌入するための孔部と、前記孔部の周囲における前記第二板状部材の少なくとも一か所に形成された切込み部とを有する樹脂製の嵌入係合部と、
前記凸部が形成された前記第一板状部材の面と反対側の面に取り付けられた樹脂製の装飾片と、
を具備し、
口や鼻を覆うマスク本体部の表面に前記凸係合部の前記凸部を押し当てた状態で、前記マスク本体部の裏面側から前記嵌入係合部を、前記孔部の位置が前記凸部の位置に一致するように前記マスク本体部に押し当て、前記凸部を前記マスク本体部とともに前記孔部に嵌め込むことにより、前記凸係合部と前記嵌入係合部とを前記マスク本体部に着脱自在に取着することを特徴とするマスク用装飾品。
【請求項２】
装飾片と、前記装飾片の裏面に、先端部が根元部より大きくなるように形成された凸部とを有する樹脂製の凸係合部と、
板状部材と、前記板状部材の略中央部に形成された、前記凸部を嵌入するための孔部と、前記孔部の周囲における前記板状部材の少なくとも一か所に形成された切込み部とを有する樹脂製の嵌入係合部と、
を具備し、
口や鼻を覆うマスク本体部の表面に前記凸係合部の前記凸部を押し当てた状態で、前記マスク本体部の裏面側から前記嵌入係合部を、前記孔部の位置が前記凸部の位置に一致するように前記マスク本体部に押し当て、前記凸部を前記マスク本体部とともに前記孔部に嵌め込むことにより、前記凸係合部と前記嵌入係合部とを前記マスク本体部に着脱自在に取着することを特徴とするマスク用装飾品。
【考案の詳細な説明】
【技術分野】
【０００１】
本考案は、マスクに取り付けて使用するマスク用装飾品に関するものである。
【背景技術】
【０００２】
マスクは花粉、埃、細菌等が体内に侵入するのを防ぐために人の口や鼻を覆うものである。従来、マスクは例えば風邪をひいたときに一時的に使用され、一度使用したものは破棄する、所謂使い捨て商品であった。このため、これまではマスクに装飾を施すことは殆ど行われていなかった。
【先行技術文献】
【特許文献】
【０００３】
【特許文献１】特開２０２０−０４５５９８号公報
【考案の概要】
【考案が解決しようとする課題】
【０００４】
しかしながら、近年、新型コロナウイルス感染症の感染拡大に伴い、屋内はもちろん、屋外でもマスクを常時着用することが一般的になってきている。このような状況下、特に若い人達の間では、機能性だけなくファッション性にも優れたマスクの出現が望まれている。
【０００５】
ところで、マスクに装飾を施す場合、例えばマスクに孔をあけて装飾品を取り付けることはできない。コロナウイルスや埃の体内への侵入を防ぐというマスク本来の機能を損なう恐れがあるからである。また、マスクに装飾を施す場合、マスク本体部の表面に印刷等により装飾を施すことが可能である。しかし、このような装飾の施されたマスクは、使用後のマスクを破棄するときにその装飾も一緒に破棄されることなり、再利用することができず不経済であり、実用的ではない。
【０００６】
本考案は上記事情に基づいてなされたものであり、マスク本来の機能を損なうことなく、マスクに着脱自在に取り付けることができる再利用可能なマスク用装飾品を提供することを目的とするものである。
【課題を解決するための手段】
【０００７】
上記の目的を達成するための第一の考案に係るマスク用装飾品は、１）第一板状部材と、第一板状部材の一方の面に、先端部が根元部より大きくなるように形成された凸部とを有する樹脂製の凸係合部と、２）第二板状部材と、第二板状部材の略中央部に形成された、凸部を嵌入するための孔部と、孔部の周囲における第二板状部材の少なくとも一か所に形成された切込み部とを有する樹脂製の嵌入係合部と、３）凸部が形成された第一板状部材の面と反対側の面に取り付けられた樹脂製の装飾片と、を具備し、口や鼻を覆うマスク本体部の表面に凸係合部の凸部を押し当てた状態で、マスク本体部の裏面側から嵌入係合部を、孔部の位置が凸部の位置に一致するようにマスク本体部に押し当て、凸部をマスク本体部とともに孔部に嵌め込むことにより、凸係合部と嵌入係合部とをマスク本体部に着脱自在に取着することを特徴とするものである。
【０００８】
このように、第一の考案に係るマスク用装飾品では、マスク本体部の表面に凸係合部の凸部を押し当てた状態で、マスク本体部の裏面側から嵌入係合部を、孔部の位置が凸部の位置に一致するようにマスク本体部に押し当て、凸部をマスク本体部とともに孔部に嵌め込むことにより、凸係合部と嵌入係合部とを誰でも簡単にマスク本体部に着脱自在に装着することができる。このため、使用後のマスクを破棄するときには、マスクからマスク用装飾品を取り外し、マスクだけを処分することができるので、マスク用装飾品は再利用可能である。また、第一の考案に係るマスク用装飾品をマスクに装着する際には、マスクに孔をあける必要がないので、とても衛生的である。しかも、第一の考案に係るマスク用装飾品は、名札等のようにピンで固定するものではないので、ピンを肌に刺してしまうというような危険はない。更に、第一の考案に係るマスク用装飾品の素材として樹脂を用いているので、そのマスク用装飾品は、軽量で肌触りがよく、また錆びることもない。
【０００９】
また、上記の目的を達成するための第二の考案に係るマスク用装飾品は、１）装飾片と、装飾片の裏面に、先端部が根元部より大きくなるように形成された凸部とを有する樹脂製の凸係合部と、２）板状部材と、板状部材の略中央部に形成された、凸部を嵌入するための孔部と、孔部の周囲における板状部材の少なくとも一か所に形成された切込み部とを有する樹脂製の嵌入係合部と、を具備し、口や鼻を覆うマスク本体部の表面に凸係合部の凸部を押し当てた状態で、マスク本体部の裏面側から嵌入係合部を、孔部の位置が凸部の位置に一致するようにマスク本体部に押し当て、凸部をマスク本体部とともに孔部に嵌め込むことにより、凸係合部と嵌入係合部とをマスク本体部に着脱自在に取着することを特徴とするものである。
【００１０】
この第二の考案に係るマスク用装飾品についても、上記第一の考案に係るマスク用装飾品と同様の作用・効果を奏する。
【考案の効果】
【００１１】
本考案のマスク用装飾品では、マスク本体部の表面に凸係合部の凸部を押し当てた状態で、マスク本体部の裏面側から嵌入係合部を、孔部の位置が凸部の位置に一致するようにマスク本体部に押し当て、凸部をマスク本体部とともに孔部に嵌め込むことにより、凸係合部と嵌入係合部とを誰でも簡単にマスク本体部に着脱自在に装着することができる。このため、使用後のマスクを破棄するときには、マスク用装飾品をマスクから取り外し、その再利用が可能である。また、マスク用装飾品をマスクに装着する際には、マスクに孔をあける必要がないので、とても衛生的である。更に、マスク用装飾品の素材として樹脂を用いているので、そのマスク用装飾品は、軽量で肌触りがよい。
【図面の簡単な説明】
【００１２】
【図１】図１（ａ）は本考案の一実施形態であるマスク用装飾品の概略正面図、図１（ｂ）はそのマスク用装飾品の概略側面図、図１（ｃ）はそのマスク用装飾品の概略裏面図である。
【図２】図２（ａ）は本実施形態のマスク用装飾品における凸係合部の概略正面図、図２（ｂ）はその凸係合部の概略側面図、図２（ｃ）はその凸係合部の概略裏面図である。
【図３】図３（ａ）は本実施形態のマスク用装飾品における嵌入係合部の概略正面図、図３（ｂ）はその嵌入係合部の概略側面図である。
【図４】図４は本実施形態のマスク用装飾品をマスクに装着する方法を説明するための図である。
【図５】図５は本実施形態のマスク用装飾品が装着されたマスクを示す図である。
【考案を実施するための形態】
【００１３】
以下に、図面を参照して、本願に係る考案を実施するための形態について説明する。図１は本考案の一実施形態であるマスク用装飾品を説明するための図である。ここで、図１（ａ）はそのマスク用装飾品の概略正面図、図１（ｂ）はそのマスク用装飾品の概略側面図、図１（ｃ）はそのマスク用装飾品の概略裏面図である。
【００１４】
本考案のマスク用装飾品は、マスクに装着して使用するものである。このマスク用装飾品を装着するマスクとしては、市販されているほぼすべての種類の家庭用マスクを用いることができる。例えば、不織布マスク、布マスク、ウレタンマスクのいずれにも、本考案のマスク用装飾品を装着可能である。但し、手作りした厚手のマスク等には装着できない場合もある。本実施形態では、本考案のマスク用装飾品を不織布マスクに装着する場合を説明する。
【００１５】
本実施形態のマスク用装飾品１は、図１に示すように、凸係合部１０と、嵌入係合部２０と、装飾片３０とを備えている。これら凸係合部１０、嵌入係合部２０、装飾片３０の材質としては、樹脂を使用している。例えば、凸係合部１０及び嵌入係合部２０はポリプロピレン樹脂で作製することができる。また、装飾片３０は、透明なアクリル樹脂で作製することができる。
【００１６】
凸係合部１０は、図１（ｂ）及び（ｃ）に示すように、第一板状部材１１と、凸部１２とを有する。図２（ａ）に本実施形態のマスク用装飾品１における凸係合部１０の概略正面図を、図２（ｂ）にその凸係合部１０の概略側面図を、図２（ｃ）にその凸係合部１０の概略裏面図を示す。図２に示すように、第一板状部材１１は、直径Ｄ１が略１８ｍｍの円形状のものである。この第一板状部材１１の厚さＴ１は約１．８ｍｍである。また、第一板状部材１１の一方の面（裏面）の略中央部には、凸部１２が第一板状部材１１と一体的に形成されている。この凸部１２は逆円錐台の形状に形成されている。すなわち、凸部１２は、その先端部が根元部より大きくなるように形成されている。具体的に、凸部１２の高さｈは約３ｍｍである。また、第一板状部材１１と接する側（根元部側）の凸部１２の直径ｄ１１が約４ｍｍ、それと反対の外側（先端部側）の凸部１２の直径ｄ１２は約５ｍｍである。
【００１７】
嵌入係合部２０は、図１（ｃ）に示すように、第二板状部材２１と、孔部２２と、四つの切込み部２３とを有する。図３（ａ）に本実施形態のマスク用装飾品１における嵌入係合部２０の概略正面図を、図３（ｂ）にその嵌入係合部２０の概略側面図を示す。図３に示すように、第二板状部材２１は、直径Ｄ２が約１６ｍｍの円形状のものであり、その厚さＴ２は約１．２ｍｍである。この第二板状部材２１の略中央部には、直径ｄ２が約５ｍｍの円形状の孔部２２が形成されている。この孔部２２は、凸係合部１０の凸部１２を嵌入して係止するためのものである。また、孔部２２の周囲における第二板状部材２１には、孔部２２から上下左右の各方向に向かうように合計四つの切込み部２３が形成されている。円形状の孔部２２だけでなく四つの切欠き部２３を形成したことにより、凸部１２を孔部２２に嵌め込んで凸係合部１０と嵌入係合部２０を係合しても、その後、嵌入係合部２０を引っ張れば、その係合状態を容易に解除することができる。このように、本実施形態では、凸係合部１０と嵌入係合部２０とは着脱可能に構成されている。
【００１８】
装飾片３０は、小さな飾り物等の装飾を施したものである。この装飾片３０は、図１に示すように、凸部１２が形成された第一板状部材１１の面（裏面）とは反対側の面（表面）に取り付けられる。その取り付けには、例えば接着剤等が使われる。例えば、装飾片３０としては、有名なキャラクターや建造物等の形状に形成したものや、お守りやお札の形状に形成したもの等、様々な形状のものを用いることができる。この装飾片３０には、着色を施したり、シールを貼ったりすることができる。本実施形態では、図１に示すように、装飾片３０として長方形状の透明なアクリル板３１を用い、そのアクリル板３１の裏面に厄除けのお札を表すシール３２を貼り付けている。これにより、図１に示すマスク用装飾品１は、厄除けのお札として用いられる。
【００１９】
次に、本実施形態のマスク用装飾品１をマスクに装着する方法について説明する。図４は本実施形態のマスク用装飾品１をマスクに装着する方法を説明するための図である。
【００２０】
まず、使用者は、マスク本体部１００に対してマスク用装飾品１の装着位置を決める。次に、図４（ａ）に示すように、使用者は、凸係合部１０の凸部１２を、マスク本体部１００の表面側からその決めた装着位置に押し当てる。次に、使用者は、マスク本体部１００の裏面から嵌入係合部２０を、その孔部２２の位置が凸部１２に対応する位置に一致するようにマスク本体部１００に押し当てる。そして、図４（ｂ）に示すように、凸部１２をマスク本体部１００の生地とともに孔部２２に嵌め込む。これにより、凸係合部１０の凸部１２が嵌入係合部２０に係止され、マスク用装飾品１はマスクに装着される。図５に本実施形態のマスク用装飾品１が装着されたマスクを示す。ここで、図５（ａ）は表面側から見たときのマスクを表し、図５（ｂ）は裏面側から見たときのマスクを表す。
【００２１】
一方、マスク用装飾品１をマスクから取り外す場合には、使用者は、マスク本体部１００の裏面において嵌入係合部２０の周端部に指先又は爪をかけて、引っ張る。これにより、凸係合部１０と嵌入係合部２０との係合状態が解除され、マスク用装飾品１はマスクから取り外される。
【００２２】
本実施形態のマスク用装飾品では、マスク本体部の表面に凸係合部の凸部を押し当てた状態で、マスク本体部の裏面側から嵌入係合部を、孔部の位置が凸部の位置に一致するようにマスク本体部に押し当て、凸部をマスク本体部とともに孔部に嵌め込むことにより、凸係合部と嵌入係合部とを誰でも簡単にマスク本体部に着脱自在に装着することができる。このため、使用後のマスクを破棄するときには、マスクからマスク用装飾品を取り外し、マスクだけを処分することができるので、マスク用装飾品は再利用可能である。
【００２３】
また、本実施形態のマスク用装飾品をマスクに装着する際には、マスクに孔をあける必要がないので、とても衛生的である。しかも、このマスク用装飾品は、名札等のようにピンで固定するものではないので、ピンを肌に刺してしまうというような危険はない。更に、本実施形態のマスク用装飾品の素材としては樹脂を用いているので、そのマスク用装飾品は、軽量で肌触りがよく、また錆びることもない。
【００２４】
尚、本考案は上記の実施形態に限定されるものではなく、その要旨の範囲内において種々の変形が可能である。
【００２５】
例えば、上記の実施形態では、孔部の周囲における第二板状部材に四つの切込み部を形成した場合について説明したが、切込み部は、一つ、二つ又は三つでもよい。すなわち、切込み部は、孔部の周囲における第二板状部材の少なくとも一か所に形成されていればよい。
【００２６】
また、上記の実施形態では、凸係合部の第一板状部材及び嵌入係合部の第二板状部材として、円形状のものを用いた場合について説明したが、第一板状部材及び第二板状部材の形状は、円形に限られず、例えば三角形、四角形等であってもよい。さらに、第一板状部材と第二板状部材とを、例えば円形と正方形のように異なる形状に形成してもよい。
【００２７】
更に、上記の実施形態では、装飾片を、凸係合部の第一板状部材に取り付ける場合について説明したが、装飾片に直接、凸部を形成したものを凸係合部（装飾片部）として用いるようにしてもよい。この場合、本考案のマスク用装飾品は、１）装飾片と、その装飾片の裏面に、先端部が根元部より大きくなるように形成された凸部とを有する樹脂製の凸係合部（装飾片部）と、２）板状部材と、その板状部材の略中央部に形成された、凸部を嵌入するための孔部と、その孔部の周囲における板状部材の少なくとも一か所に形成された切込み部とを有する樹脂製の嵌入係合部と、を具備するものとなる。このマスク用装飾品も、上記実施形態のものと同様の作用・効果を奏する。
【産業上の利用可能性】
【００２８】
以上説明したように、本考案に係るマスク用装飾品では、マスク本体部の表面に凸係合部の凸部を押し当てた状態で、マスク本体部の裏面側から嵌入係合部を、孔部の位置が凸部の位置に一致するようにマスク本体部に押し当て、凸部をマスク本体部とともに孔部に嵌め込むことにより、凸係合部と嵌入係合部とを誰でも簡単にマスク本体部に着脱自在に装着することができる。このため、使用後のマスクを破棄するときには、マスク用装飾品をマスクから取り外し、その再利用が可能である。また、本考案に係るマスク用装飾品をマスクに装着する際には、マスクに孔をあける必要がないので、とても衛生的である。更に、本考案に係るマスク用装飾品の素材として樹脂を用いているので、そのマスク用装飾品は、軽量で肌触りがよい。したがって、本考案は、マスクに装着するための、小さな飾り物やお守り等の装飾品として用いるのに好適である。
【符号の説明】
【００２９】
１０    凸係合部
１１    第一板状部材
１２    凸部
２０    嵌入係合部
２１    第二板状部材
２２    孔部
２３    切込み部
３０    装飾片
３１    アクリル板
３２    シール
１００    マスク本体部
【図１】
0003228464.tif 000003
【図２】
0003228464.tif 000004
【図３】
0003228464.tif 000005
【図４】
0003228464.tif 000006
【図５】
0003228464.tif 000007